(57)【要約】      （修正有）【課題】姿勢矯正効果を発揮し得る割りには着用しても腕、肩、背などの人体部分の動作自由度が大きく、長時間使用しても疲れにくく、腋の下の痛みのような苦痛を伴わない姿勢矯正具及び該矯正具を有する衣類を提供する。【解決手段】左右の上腕骨頭部ａと、左右鎖骨の腕側端部ｂと、上腕骨頭部ａ及び鎖骨の腕側端部ｂが連接された左右の肩甲骨の部分ｃとを骨組みとする人体部分１００を周囲から囲み包むための左右の袖状部１と、左右の袖状部１を連結する伸縮性バンド部２とを含んでいる姿勢矯正具Ａ１及びこれを含むシャツ、ブラジャー等の衣類。【選択図】図１
2011072323.tif 000002
【特許請求の範囲】
【請求項１】
左右の上腕骨頭部と、左右鎖骨の腕側端部と、上腕骨頭部及び鎖骨の腕側端部が連接された左右の肩甲骨の部分とを骨組みとする人体部分を周囲から囲み包むための左右の袖状部と、該左右の袖状部を連結する伸縮性バンド部とを含んでおり、該伸縮性バンド部は、該左右袖状部が人体に被着された状態で該人体の背中側の左右肩甲骨の上部背後で該左右の袖状部を連結するとともに該左右の袖状部を互いに弾力的に引き寄せる力を付与するためのバンド部であることを特徴とする姿勢矯正具。
【請求項２】
前記左右の袖状部のそれぞれは、前記上腕骨頭部と、鎖骨の腕側端部と、上腕骨頭部及び鎖骨の腕側端部が連接された肩甲骨の部分とを骨組みとする人体部分に対して緩みなく装着できる伸縮性を有する袖状部である請求項１記載の姿勢矯正具。
【請求項３】
前記左右の袖状部を連結する背中側補助伸縮性バンド部をさらに含んでおり、該背中側補助伸縮性バンド部は、該左右袖状部が人体に被着された状態で該人体の背中側で、前記伸縮性バンド部より下方、且つ、該人体の腋の下より下方の位置で、該左右の袖状部を連結するとともに該左右の袖状部を互いに弾力的に引き寄せる力を付与するためのものである請求項１又は２記載の姿勢矯正具。
【請求項４】
前記左右の袖状部を連結する胸部側補助バンド部をさらに含んでおり、該胸部側補助バンド部は、該左右袖状部が人体に被着された状態で該人体の胸部側で、前記伸縮性バンド部より下方、且つ、該人体の腋の下より下方の位置で、該左右の袖状部を連結するためのものである請求項１、２又は３記載の姿勢矯正具。
【請求項５】
前記胸部側補助バンド部はバストアップバンド部を兼ねている請求項４記載の姿勢矯正具。
【請求項６】
前記胸部側バンド部は連結分離可能部分を含んでいる請求項４又は５記載の姿勢矯正具。
【請求項７】
請求項１から６のいずれかに記載の姿勢矯正具を含む上半身用衣類。
【請求項８】
前記姿勢矯正具が一体的に形成されている請求項７記載の上半身用衣類。
【発明の詳細な説明】
【技術分野】
【０００１】
本発明は、猫背等の姿勢の矯正又は猫背等になることを抑制するための姿勢矯正具及び衣類に関する。
【背景技術】
【０００２】
猫背等の矯正又は猫背等になることを抑制するための姿勢矯正具は、これまで様々のタイプのものが提案されてきた。例えば、意匠登録第１１４８７６３号公報に記載の矯正具や、図８に示す矯正具等である。
【０００３】
意匠登録第１１４８７６３号公報に記載の矯正具は、網目構造の可撓性背当て板状部を人体の背中に当てがい、左右肩掛けベルトを左右の肩に掛け、下部ベルトを背から腹側へまわして、人体正面側で連結して姿勢矯正に用いるものである。
【０００４】
図８の矯正具は、背中側でＸ字状（或いは十文字状）を呈する部分９１の左右それぞれの上下端部に肩掛けベルト部９２を連設してなる矯正具９である。矯正具９によると、図８（Ａ）に示すように左右肩掛けベルト部９２を左右の肩に掛けることで、図８（Ｂ）に示すように背中側で、伸縮性Ｘ字状部分９１を伸張させ、それによりＸ字状に互いに背中中央部へ向かう弾性収縮復元力が生じさせ、それにより左右肩甲骨を背中の中央部側へ引き寄せて猫背等の矯正又は猫背等になることを抑制しようとするものである。
【０００５】
このように従来の姿勢矯正具は、肩甲骨を背中の中央部側へ引き寄せることで背筋を伸ばし、猫背等を矯正したり、猫背等になることを防止しようとするものである。
【先行技術文献】
【特許文献】
【０００６】
【特許文献１】意匠登録第１１４８７６３号公報
【発明の概要】
【発明が解決しようとする課題】
【０００７】
肩甲骨を背中の中央部側へ引き寄せることで背筋を伸ばし、猫背等を矯正したり、猫背等になることを抑制しようとする上記従来の考え方は一般的に認められているものである。しかしながら、この考え方を反映させた、例えば意匠登録第１１４８７６３号公報に記載されるような、また、図８に示されるような、従来の姿勢矯正具によると、実際の使用において、背中が全体的に拘束されるような感じがあって疲れやすく、その割りには矯正効果が顕著であるとは認めがたい。また、腋の下に肩掛けベルトが食い込むような状態となって苦痛を伴うこともある。
【０００８】
そこで本発明は、猫背等の矯正や猫背等になることの抑制などの姿勢矯正に供することができる姿勢矯正具であって、肩掛けベルト部をランドセルの肩掛けベルト様に両肩に掛けて使用する従来タイプの姿勢矯正具と比べると、それに劣らない姿勢矯正効果があり、その割りには着用しても腕、肩、背などの人体部分の動作自由度が大きくて疲れにくく、また、腋の下の痛みのような苦痛が抑制される状態で着用できる姿勢矯正具を提供することを第１の課題とする。
【０００９】
また本発明は、猫背等の矯正や猫背等になることの抑制などの姿勢矯正機能を併せ有する便利な衣類であって、肩掛けベルト部をランドセルの肩掛けベルト様に両肩に掛けて使用する従来タイプの姿勢矯正具と比べると、それに劣らない姿勢矯正効果があり、その割りには着用しても腕、肩、背などの人体部分の動作自由度が大きくて疲れにくく、また、腋の下の痛みのような苦痛が抑制される状態で着用できる衣類を提供することを第２の課題とする。
【課題を解決するための手段】
【００１０】
本発明は前記第１の課題を解決するため、
左右の上腕骨頭部と、左右鎖骨の腕側端部と、上腕骨頭部及び鎖骨の腕側端部が連接された左右の肩甲骨の部分とを骨組みとする人体部分を周囲から囲み包むための左右の袖状部と、該左右の袖状部を連結する伸縮性バンド部とを含んでおり、該伸縮性バンド部は、該左右袖状部が人体に被着された状態で該人体の背中側の左右肩甲骨の上部背後で該左右の袖状部を連結するとともに該左右の袖状部を互いに弾力的に引き寄せる力を付与するためのバンド部である姿勢矯正具を提供する。
【００１１】
また本発明は前記第２の課題を解決するため、
本発明に係る姿勢矯正具を含む上半身用衣類を提供する。
ここで、「上半身用衣類」とは、シャツ（下着シャツ、ポロシャツ、Ｔシャツ、各種補整用下着、スポーツシャツ、ワイシャツ、ブラウス、下半身用衣類と一体的に形成されたコンビネーションタイプの各種シャツ等）、上半身用寝衣（パジャマの上半身用部、下半身用部と一体的に形成されたパジャマの上半身用部、ネグリジエ、ナイトガウン、寝巻き等）、上半身用上着（セーター、カーディガン、ジャケット、ジャンパー、下半身用部と一体的に形成された所謂つなぎ着の上半身用部分等）、ブラジャーなどであり、本発明に係る姿勢矯正具が後付けにより取り付けられていても、本発明に係る姿勢矯正具が一体的に組み込み形成されたものでもよい。
【００１２】
本発明に係る姿勢矯正具や衣類によると、例えば袖付きシャツを着るときのように姿勢矯正具の左右袖状部に左右の腕をそれぞれ通して、且つ、姿勢矯正具の伸縮性バンド部が背中側に位置するようにして、該左右の袖状部で左右の上腕骨頭部と、左右鎖骨の腕側端部と、上腕骨頭部及び鎖骨の腕側端部が連接された左右の肩甲骨の部分とを骨組みとする人体部分をそれぞれ周囲から囲み包んで着用できる。
【００１３】
このように左右の袖状部が人体に被着された状態では、伸縮性バンド部が人体の背中側の左右肩甲骨の上部背後に位置して該左右の袖状部を連結しているとともに伸張されている。この伸縮性バンド部は弾性復元力で当初の状態へ収縮しようとする。そのため、左右の袖状部に対してこれら袖状部を互いに弾力的に引き寄せる力が生じている。それにより、袖状部を介して左右の肩甲骨の、上腕骨頭部及び鎖骨の腕側端部が連接された部分にそれらを互いに背中の中央部側へ引き寄せる力が加えられる。
【００１４】
このとき、伸縮性バンド部は、単に左右の肩甲骨の上部を互いに背中の中央部側へ引き寄せようとするだけでなく、左右の袖状部を介して左右の各腕の付け根及びその辺りを人体の後ろ側へ引っ張りつつ左右の肩甲骨の上部を互いに背中の中央部側へ引き寄せようとする。
【００１５】
そのため、単に左右の肩甲骨を互いに背中の中央部側へ引き寄せようとするだけの場合と比べると、肩甲骨の後ろ側への後退がより強く促され、それにより左右の肩甲骨がより円滑に背中の中央部側へ引き寄せられ、或いは引き寄せられようとして、猫背等の矯正や、猫背等になることを抑制するための姿勢矯正がそれだけ円滑、確実に実現される。
【００１６】
しかも、左右の袖状部は、左右の上腕骨頭部と、左右鎖骨の腕側端部と、上腕骨頭部及び鎖骨の腕側端部が連接された左右の肩甲骨の部分とを骨組みとする人体部分を周囲から囲み包む袖状に形成されていて左右の腕がこれらに通されることで、左右上腕骨頭部と、左右鎖骨の腕側端部と、上腕骨頭部及び鎖骨の腕側端部が連接された左右の肩甲骨の部分とを骨組みとする人体部分のそれぞれが該袖状部により周囲から確実に囲み包まれるので、着用者が腕を回す等の動作をしても、該袖状部が着用者から外れたり、位置ずれすることは抑制される。この点でも、姿勢矯正がそれだけ確実に実現される。
【００１７】
また、左右の袖状部を連結している伸縮性ベルト部は、人体の背中に全面的に配置される必要はなく、肩甲骨上部の背後に位置できればよいから、本発明に係る矯正具や衣類は、それだけ、着用しても着用者の動作の自由度が大きく、短時間着用する場合は勿論のこと、長時間着用しても疲れにくいものとすることができ、また、従来矯正具における肩掛けベルトのように着用者の腋の下に食い込んで着用者に苦痛を与えるというようなことは抑制される。
【００１８】
さらに、本発明に係る姿勢矯正具や衣類は、着用者の胸部や胴部に回し掛ける部分を設けてもよいが、そのような部分を設けないで済ませる場合は、着用者の動作の自由度がそれだけ大きくなる。
【００１９】
しかし、姿勢矯正具が使用中に人体動作等によって上方へずりあがる等により位置ずれするようなことを抑制して、人体上での位置をより安定させるために、前記左右の袖状部を連結する背中側補助伸縮性バンド部をさらに設けてもよい。該背中側補助伸縮性バンド部は、左右袖状部が人体に被着された状態で該人体の背中側で、前記伸縮性バンド部より下方、且つ、該人体の腋の下より下方に位置して、該左右の袖状部を連結するとともに該左右の袖状部を互いに弾力的に引き寄せる力を付与するためのものである場合を例示できる。
【００２０】
また、姿勢矯正具が使用中に人体動作等によって上方へずりあがる等により位置ずれするようなことを抑制して、人体上での位置をより安定させるために、前記左右の袖状部を連結する胸部側補助バンド部を設けてもよい。該胸部側補助バンド部は、例えば、該左右袖状部が人体に被着された状態で該人体の胸部側で、前記伸縮性バンド部より下方、且つ、該人体の腋の下より下方に位置して、該左右の袖状部を連結するものとすることができる。
この胸部側補助バンド部は、乳房を持ち上げて見せるための所謂バストアップ用バンド部を兼ねていてもよい。
【００２１】
上記のような背中側の伸縮性補助バンド部と胸部側補助バンド部とを共に設けてもよく、その場合、両補助バンド部を互いに１連に形成してもよい。
いずれにしても、胸部側補助バンド部は左右の袖状部を互いに弾力的に引き寄せる伸縮性を有するものでもよい。また、胸部側補助バンド部は、その途中で分離したり再連結したりできる分離連結可能の部分を有していてもよい。また、長さ調節可能のバンド部であってもよい。
【００２２】
前記左右の袖状部のそれぞれは、姿勢矯正具が矯正効果を発揮できるのであれば伸縮性である必要はないが、矯正具が矯正効果をより確実に発揮できるように、袖状部を装着する上腕骨頭部及び鎖骨の腕側端部が連接された肩甲骨の部分とを骨組みとする人体部分に対して緩みなく装着できるもの（全く緩みのない場合だけでなく、厳密には部分的或いは全体的に若干の緩みが認められるとしても全体としては実際上緩み無く装着できるものとみてよい場合も含まれる）とすることができる。
【００２３】
各袖状部は、矯正具の矯正効果を一層確実なものとするために、前記人体部分をより安定、確実に周囲から確実に囲み包めるように、しかし人体への装着を格別困難にしないように、前記人体部分に対して緩みなく装着できる伸縮性を有する袖状部としてもよい。
【００２４】
この場合、左右の袖状部とこれらを連結する前記伸縮性バンド部は一体的に形成してもよい。既述のように背中側及び（又は）胸部側補助バンド部を設ける場合には、それも一体的に形成してもよい。これらの一体的形成は、編み立て等により行える。
なお、左右の袖状部と、伸縮性バンド部や補助バンド部は、別々に形成して、後で縫い合わせるなどして互いに連結してもよい。
【発明の効果】
【００２５】
以上説明したように本発明によると、猫背等の矯正や猫背等になることの抑制などの姿勢矯正に供することができる姿勢矯正具であって、肩掛けベルト部をランドセルの肩掛けベルト様に両肩に掛けて使用する従来タイプの姿勢矯正具と比べると、それに劣らない姿勢矯正効果があり、その割りには着用しても腕、肩、背などの人体部分の動作自由度が大きくて疲れにくく、また、腋の下の痛みのような苦痛が抑制される状態で着用できる姿勢矯正具を提供することができる。
【００２６】
また本発明によると、猫背等の矯正や猫背等になることの抑制などの姿勢矯正機能を併せ有する便利な衣類であって、肩掛けベルト部をランドセルの肩掛けベルト様に両肩に掛けて使用する従来タイプの姿勢矯正具と比べると、それに劣らない姿勢矯正効果があり、その割りには着用しても腕、肩、背などの人体部分の動作自由度が大きくて疲れにくく、また、腋の下の痛みのような苦痛が抑制される状態で着用できる衣類を提供することができる。
【図面の簡単な説明】
【００２７】
【図１】図（Ａ）は本発明に係る姿勢矯正具の１例の、着用者とともに示す正面図であり、図（Ｂ）は同矯正具の背面図であり、図（Ｃ）は背中側の伸縮性バンド部が上下方向にも伸縮性を有する場合の例を示す図である。
【図２】図（Ａ）は本発明に係る姿勢矯正具の他の例の、着用者とともに示す正面図であり、図（Ｂ）は同矯正具の背面図であり、図（Ｃ）は背中側の伸縮性バンド部や伸縮性補助バンド部が上下方向にも伸縮性を有する場合の例を示す図である。
【図３】図（Ａ）は本発明に係る姿勢矯正具のさらに他の例の、着用者とともに示す正面図であり、図（Ｂ）は同矯正具の背面図であり、図（Ｃ）は図（Ａ）及び（Ｂ）の姿勢矯正具において着用者の乳房を覆うカップ部を設けた矯正具例（換言すれば本発明に係る姿勢矯正具を含む上半身用衣類の例）の正面図である。
【図４】図（Ａ）は本発明に係る姿勢矯正具のさらに他の例の、着用者とともに示す正面図であり、図（Ｂ）は同矯正具の背面図であり、図（Ｃ）は同矯正具の変形例の背面図である。
【図５】図（Ａ）は図１に示す矯正具の変形例の、着用者とともに示す正面図であり、図（Ｂ）は同矯正具の背面図である。
【図６】図（Ａ）は図２に示す矯正具の変形例の、着用者とともに示す正面図であり、図（Ｂ）は同矯正具の背面図であり、図（Ｃ）はさらに変形例の背面図である。
【図７】図（Ａ）は本発明に係る衣類の１例であるシャツの、着用者とともに示す正面図であり、図（Ｂ）は同シャツの背面図である。
【図８】図（Ａ）は従来矯正具例の、着用者とともに示す正面図であり、図（Ｂ）は同矯正具の背面図である。
【発明を実施するための形態】
【００２８】
以下本発明に係る姿勢矯正具や衣類の例について図面を参照して説明する。
図１（Ａ）は本発明に係る姿勢矯正具の１例の、着用者とともに示す正面図であり、図１（Ｂ）は同矯正具の背面図である。
【００２９】
図１（Ａ）及び（Ｂ）に示す姿勢矯正具Ａ１は、左右の袖状部１、１と、これらを連結しているバンド部２とを含むものである。
各袖状部１は、着用者１０の上腕骨頭部ａと、鎖骨の腕側端部ｂと、該上腕骨頭部及び鎖骨端部が連接された肩甲骨の部分ｃとを骨組みとする人体部分１００を周囲から囲み包むものである。
【００３０】
さらに言えば、本例では、各袖状部１は、その外側リング縁部１１が着用者１０の上腕を囲繞するとともに、内側リング縁部１２が着用者１０のほぼ腋下辺りから胸部側を通って肩部へ至り、さらにそこから背中側を通って前記のほぼ腋下辺りに達するように形成されており、全体として、着用者人体部分１００を周囲からほぼ緩みなく囲い包めるように全体的に言わば筒形状様に形成されている。
【００３１】
バンド部２は伸縮性を有するバンド部であり、本例では、左右の袖状部１、１と一体的に形成されている。
このバンド部２は、左右袖状部１、１が人体に被着された状態で該人体の背中側の左右肩甲骨の上部背後で該左右の袖状部を連結するとともに左右袖状部１、１を互いに左右方向に弾力的に引き寄せる力を付与するためのものである。
【００３２】
なお、図１（Ｃ）は、姿勢矯正具Ａ１において、背中側で左右の袖上部１、１を互いに左右方向に引き寄せる伸縮性バンド部２が上下方向にも伸縮性を有している場合の例である。
【００３３】
図５（Ａ）は図１に示す矯正具Ａ１の変形例Ａ１’の、着用者とともに示す正面図であり、図（Ｂ）は同矯正具の背面図である。
【００３４】
矯正具Ａ１’も矯正具Ａ１と同様に左右の袖状部１、１およびそれらを連結するバンド部２を含んでいる。しかし、矯正具Ａ１’では、各袖状部１の外側リング縁部１１は矯正具Ａ１と同様に着用者１０の上腕を囲繞しているが、袖状部１の内側リング縁部１２は着用者１０の腋下よりさらに若干下方から胸部側を通って肩部へ至り、さらにそこから背中側を通って前記腋下よりさらに若干下方へ達するように形成されている。従って、この袖状部１は腋下も覆うものである。そして、全体として、着用者人体部分１００を周囲からほぼ緩みなく囲い包めるように全体的に言わば筒形状様に形成されている。
【００３５】
姿勢矯正具Ａ１’のその他の点は矯正具Ａ１と実質上同じである。矯正具Ａ１’の矯正具Ａ１における部分、部品等と実質上同じ部分、部品等には矯正具Ａ１と同じ参照符号を付してある。
【００３６】
図２（Ａ）は本発明に係る姿勢矯正具の他の例Ａ２の、着用者とともに示す正面図であり、図２（Ｂ）は同矯正具の背面図である。
【００３７】
図２（Ａ）及び（Ｂ）に示す姿勢矯正具Ａ２は、図２（Ａ）に示すように、図１（Ａ）及び（Ｂ）に示す矯正具Ａ１において、左右それぞれの袖状部１に、着用者の胸部側で若干下方へ延在する伸縮性部分１３を一体的に連設するとともに、図２（Ｂ）に示すように、左右の該部分１３、１３を着用者１０の背中側で連結する伸縮性補助バンド部３を設けたものである。
【００３８】
伸縮性補助バンド部３は、左右袖状部１、１が人体に被着された状態で、該人体の背中側で、バンド部２より下方、且つ、該人体の腋の下より下方に位置して、前記の下方へ延在する伸縮性部分１３、１３を介して左右の袖状部１、１を連結するとともに該袖状部１、１を互いに弾力的に引き寄せる力を付与する。また、下方へ向け延在する伸縮性部分１３、１３は下端部が補助バンド部３に保持された状態で袖状部１、１を下方へ引っ張り、該袖状部１、１の上方へのずり上がりをそれだけ確実に抑制する。これらにより、袖状部１、１の位置がそれだけ安定し、それだけ確実に姿勢矯正を行える。
【００３９】
姿勢矯正具Ａ２のその他の点は矯正具Ａ１と実質上同じである。矯正具Ａ２の矯正具Ａ１における部分、部品等と実質上同じ部分、部品等には矯正具Ａ１と同じ参照符号を付してある。
【００４０】
なお、図２（Ｃ）は、姿勢矯正具Ａ２における、背中側で左右の袖上部１、１を互いに左右方向に引き寄せる伸縮性バンド部２及び伸縮性補助バンド部３のそれぞれが上下方向にも伸縮性を有している場合の例である。
【００４１】
図６（Ａ）は図２に示す矯正具Ａ２の変形例Ａ２’の、着用者とともに示す正面図であり、図（Ｂ）は同矯正具の背面図である。
【００４２】
矯正具Ａ２’も矯正具Ａ２と同様に左右の袖状部１、１およびそれらを連結するバンド部２及びバンド部３を含んでいる。しかし、矯正具Ａ２’では、各袖状部１の外側リング縁部１１は矯正具Ａ２と同様に着用者１０の上腕を囲繞しているが、袖状部１の内側リング縁部１２は着用者１０の腋下よりさらに若干下方から胸部側を通って肩部へ至り、さらにそこから背中側を通って前記腋下よりさらに若干下方へ達するように形成されている。従って、この袖状部１は腋下も覆うものである。そして、全体として、着用者人体部分１００を周囲からほぼ緩みなく囲い包めるように全体的に言わば筒形状様に形成されている。
【００４３】
姿勢矯正具Ａ２’のその他の点は矯正具Ａ２と実質上同じである。矯正具Ａ２’の矯正具Ａ２における部分、部品等と実質上同じ部分、部品等には矯正具Ａ２と同じ参照符号を付してある。
【００４４】
なお、図６（Ｃ）は、姿勢矯正具Ａ２’における背中側の伸縮性バンド部２及び補助バンド部３のそれぞれが、背中の中央部辺りで上下につなげられている例を示すものである。
【００４５】
図３（Ａ）は本発明に係る姿勢矯正具の他の例Ａ３の、着用者とともに示す正面図であり、図３（Ｂ）は同矯正具の背面図である。
図３に示す姿勢矯正具Ａ３は、図３に示すように、図１（Ａ）及び（Ｂ）に示す矯正具Ａ１と同様に、左右の人体部分１００を周囲から囲み包む左右の袖状部１、１と、これらを連結するバンド部２とを含むものである。
【００４６】
しかし本例では、各袖状部１の外側リング縁部１１は矯正具Ａ１と同様に着用者１０の上腕を囲繞しているが、袖状部１の内側リング縁部１２は着用者１０の腋下よりさらに若干下方から胸部側を通って肩部へ至り、さらにそこから背中側を通って前記腋下よりさらに若干下方へ達するように形成されている。従って、この袖状部１は腋下も覆う下端部１４を含んでいる。そして、全体として、着用者人体部分１００を周囲からほぼ緩みなく囲い包めるように全体的に言わば筒形状様に形成されている。
【００４７】
矯正具Ａ３は、背中側の伸縮性バンド部２に加え、さらに、左右それぞれの袖状部１の内側リング縁部１２の下端部１４を着用者１０の胸部側で連結する伸縮性の補助バンド部４を有している。
【００４８】
補助バンド部４は、左右それぞれの袖状部１の内側リング縁部１２の下端部１４から若干下方へ延びたのち左右方向へ延びるバンドであり、左右袖状部１、１が人体に被着された状態で、該人体の胸部側で、バンド部２より下方、且つ、該人体の腋の下より下方に位置して袖状部１、１の上方へのずり上がりを抑制する。これにより、袖状部１、１の位置がそれだけ安定し、それだけ確実に姿勢矯正を行える。
【００４９】
図３に示す例では、補助バンド部４は、この矯正具Ａ３を例えば女性が着用したとすると、その乳房を持ち上げて見せる所謂バストアップ機能を有するバンドでもある。
補助バンド部４はその途中で左右に分離したり、再連結できる分離連結可能部分４０を有していてもよく、また、バンド４は長さ調節可能なものでもよい。
【００５０】
姿勢矯正具Ａ３のその他の点は矯正具Ａ１と実質上同じである。矯正具Ａ３の矯正具Ａ１における部分、部品等と実質上同じ部分、部品等には矯正具Ａ１と同じ参照符号を付してある。
【００５１】
例えば矯正具Ａ３においては、袖状部１の内側リング縁部１２及び胸部側の補助バンド部４等の胸部側の適当な部分に一体的に、又はそれら部分に縫着等により連結して着用者の乳房を覆うカップ部を設け、ブラジャーを兼ねる姿勢矯正具、換言すれば姿勢矯正具を含むブラジャーとすることもできる。
図３（Ｃ）は、そのようなブラジャーを兼ねる姿勢矯正具、換言すれば姿勢矯正具を含むブラジャーの例Ａ３’を示している。このブラジャーＡ３’では、胸部側バンド部４が中央部の分離連結部４００で左右に分離したり再連結したりできるようになっている。そして、左右の袖状部１の内側リング縁部１２及びバンド部４の部分に一体的に着用者の乳房を覆うカップ部１５が設けられている。
【００５２】
また、例えば、矯正具Ａ１において矯正具Ａ２における背中側の補助バンド部３及び矯正具Ａ３における胸部側の補助バンド部４を共に採用して、袖状部１、１等の上方へのずり上がり等の位置ずれを抑制した矯正具も本発明に係る矯正具の例として挙げることができる。
図４はそのような矯正具Ａ４の１例を示している。図４（Ａ）は矯正具Ａ４の正面図であり、図４（Ｂ）は矯正具Ａ４の背面図である。
図４（Ａ）及び（Ｂ）に示す例では、バンド部３、４は連続的に形成されている。
なお、図４（Ｃ）に示すように、背中側において、バンド部２とバンド部３とを、例えば背中中央辺りで、上下に連続させておいてもよい。
図４に示す矯正具Ａ４においても、着用者の乳房を覆うカップ部を設けてブラジャーを兼ねる姿勢矯正具、換言すれば、姿勢矯正具を含むブラジャーとすることができる。
【００５３】
図７（Ａ）は本発明に係る衣類の１例Ｃの、着用者とともに示す正面図であり、図７（Ｂ）は同衣類の背面図である。
【００５４】
図７に示す衣類Ｃは下着シャツとしても利用できるＴシャツである。本発明に係る衣類はさきに説明した姿勢矯正具Ａ１（図１）、Ａ１’（図５）、Ａ２（図２）、Ａ２’（図６）、Ａ３（図３）、Ａ４（図４）等の本発明に係る姿勢矯正具を縫着等にて取り付けたものでもよいが、シャツＣは、図５に示す矯正具Ａ１’に相当する部分を一体的に形成してなるシャツである。
【００５５】
図７においては、図５の姿勢矯正具Ａ１’に相当する部分を符号Ａ１”で示し、矯正具Ａ１”と称することにする。シャツＣの矯正具Ａ１”は実質上矯正具Ａ１’と同構成である。シャツＣ全体としては、その袖Ｃ１が矯正具Ａ１”の袖状部１より若干長く形成されている。さらに長く、長袖としてもよい。シャツＣの矯正具Ａ１”の前記矯正具Ａ１’における部分、部品等と実質上同じ部分、部品等には矯正具Ａ１’と同じ参照符号を付してある。
【００５６】
以上説明した姿勢矯正具Ａ１（図１）、Ａ１’（図５）、Ａ２（図２）、Ａ２’（図６）、Ａ３（図３）、Ａ３’（図３）、Ａ４（図４）やシャツＣ（図７）は、通常の袖付きシャツを着るときのように姿勢矯正具Ａ１、Ａ１’、Ａ２、Ａ２’Ａ３、Ａ３’、Ａ４、Ａ１”の左右袖状部１、１に左右の腕をそれぞれ通して、且つ、矯正具の伸縮性バンド部２が背中側に位置するようにして、各袖状部１で上腕骨頭部ａと、鎖骨の腕側端部ｂと、上腕骨頭部ａ及び鎖骨端部ｂが連接された肩甲骨の部分ｃとを骨組みとする左右それぞれの人体部分１００、１００を周囲から実質上緩みなく囲み包んで着用できる。
【００５７】
このように左右袖状部１、１が人体に被着された状態では、伸縮性バンド部２が着用者の背中側の左右肩甲骨の上部背後に位置して該左右の袖状部を連結しているとともに伸張されている。伸縮性バンド部２は弾性復元力で当初の状態へ収縮しようとする。そのため、左右の袖状部１、１に対してこれら袖状部を互いに弾力的に引き寄せる力が生じている。
【００５８】
それにより、袖状部１、１を介して左右の肩甲骨の上腕骨頭部ａ及び鎖骨端部ｂが連接された部分ｃに、ひいては肩甲骨に全体的に、それらを互いに背中の中央部側へ引き寄せる力が加えられる。
【００５９】
このとき、伸縮性バンド部２は、単に左右の肩甲骨の上部を互いに背中の中央部側へ引き寄せようとするだけでなく、前記人体部１００を囲繞する左右の袖状部１、１を介して左右の各腕の付け根及びその辺りを着用者１０の後ろ側へ引っ張りつつ左右の肩甲骨の上部を、ひいては左右肩甲骨を全体的に互いに背中の中央部側へ引き寄せようとする。
【００６０】
そのため、単に左右の肩甲骨を互いに背中の中央部側へ引き寄せようとするだけの場合と比べると、肩甲骨の後ろ側への後退がより強く促され、それにより左右の肩甲骨がより円滑に背中の中央部側へ引き寄せられ、或いは引き寄せられようとして、猫背等の矯正や、猫背等になることを抑制するための姿勢矯正がそれだけ円滑、確実に実現される。
【００６１】
しかも、左右の袖状部１、１は袖状に形成されていて、左右の腕がこれらに通されることで、左右それぞれの上腕骨頭部ａと、鎖骨端部ｂと、それらが連接された左右の肩甲骨部分ｃとを骨組みとする人体部分１００が該袖状部により周囲から確実に囲み包まれているので、着用者１００が腕を回す等の動作をしても、該袖状部が着用者から外れたり、位置ずれすることは抑制される。この点でも、姿勢矯正がそれだけ確実に実現される。
【００６２】
また、左右の袖状部１、１を連結している伸縮性ベルト部２は、着用者１０の背中に全面的に配置されておらず、肩甲骨上部の背後に位置しているだけであるから、着用しても着用者１０の動作の自由度が大きく、長時間着用しても疲れにくく、また、着用したまま睡眠することもできぬことはない。また、従来矯正具における肩掛けベルトのように着用者の腋の下に食い込んで着用者１０に苦痛を与えることもない。
【００６３】
矯正具Ａ２、Ａ２’、Ａ４では、背中側の伸縮性補助バンド部３が設けられており、これが着用者１０の背中側で左右の袖状部１、１を補助的に弾力的に互いに引き寄せるとともに袖状部１、１のずり上がりを抑制するので、また、矯正具Ａ３、Ａ３’、Ａ４では、胸部側の補助バンド部４が設けられており、これが着用者１０の胸部側で左右の袖状部１、１のずり上がりを抑制するので、姿勢矯正具Ａ２、Ａ２’、Ａ３、Ａ３’、Ａ４の人体上での位置をより安定させることができる。
【００６４】
しかも、該補助バンド部３や４は伸縮性バンド部２より下方、且つ、腋の下より下方に位置するので、この補助バンド部３や４のために着用者１０の腕回し等の動作の自由度が低下させられたり、従来の矯正具の肩掛けベルトが腋の下に食い込むような苦痛が生じるようなことはない。
【００６５】
シャツＣは、シャツＣとして着用できるとともに同時に矯正具Ａ１”により姿勢矯正に供することができるので便利である。前記のブラジャーＡ３’もブラジャーとして着用できると同時に姿勢矯正具部分により姿勢矯正に供することができるので便利である。
なお、以上の説明では本発明に係る衣類としてシャツＣ及びブラジャーＡ３’を示したが、本発明に係る衣類はこれに限定されるものではなく、既述した各種衣類に本発明を適用できる。
【００６６】
矯正具Ａ１、Ａ１’、Ａ２、Ａ２’、Ａ３、Ａ３’、Ａ４、Ａ１”における伸縮性を有する袖状部１やバンド部２、或いはさらにバンド部３、或いはさらにバンド部４は、それには限定されないが、例えば、ポリエステル糸と、ポリウレタン糸にポリアミド糸（ナイロン糸）を巻いて強度と伸縮性を持たせた糸とを用いて交互に編み立てし、且つ、適宜編み変えして伸縮性に強弱を付けて編み立てして形成することができる。また、矯正具は、その全体が同じように編成されているのではなく、袖状部１、１及び伸縮性バンド部２の部分については伸縮性の強い所謂リブ編みとし、他の部分はそれより伸縮性の弱いメッシュ編みとする例を挙げることができる。また、強い伸縮性が求められる袖状部１、１及び伸縮性バンド部２の部分等については、伸縮性布を複数枚重ねで形成し、他の部分はそれより少ない枚数（例えば１枚）で形成するなどしてもよい。さらに、袖状部１やバンド部２等のそれぞれにおいても、伸縮性がより強い部分とより弱い部分とがあってもよい。
【産業上の利用可能性】
【００６７】
本発明は猫背等の矯正や猫背等になることを抑制する姿勢矯正具を提供することに利用できる。
【符号の説明】
【００６８】
Ａ１、Ａ１’、Ａ２、Ａ２’、Ａ３、Ａ３’、Ａ４  姿勢矯正具
１  袖状部
１１  袖状部の外側のリング縁部
１２  袖状部の内側のリング縁部
１３  袖状部の延在部分
１４  袖状部の下端部
２  伸縮性バンド部
３  背中側の補助バンド部
４  胸部側の補助バンド部
Ｃ  シャツ
Ｃ１  シャツの袖
Ａ１”  姿勢矯正具
１０  着用者
ａ  上腕骨頭部
ｂ  鎖骨の腕側端部
ｃ  肩甲骨の、上腕骨頭部及び鎖骨端部が連接された部分                            １００  人体部分
【図１】
2011072323.tif 000003
【図２】
2011072323.tif 000004
【図３】
2011072323.tif 000005
【図４】
2011072323.tif 000006
【図５】
2011072323.tif 000007
【図６】
2011072323.tif 000008
【図７】
2011072323.tif 000009
【図８】
2011072323.tif 000010